(57)【要約】【課題】特定の作業者による電池交換が容易でありながら、一般ユーザが容易に電池交換できない電池式腕時計を提供する。【解決手段】電池２を電源として使用する電池式時計１であって、底面および側面を有し、上部の開口を通じて、底面の第１位置および第２位置の間を移動可能に電池が収容される収容部１５と、収容部１５の開口縁から開口中心に張り出し、第１位置および第２位置に配置された電池２のプラス面２ａに接触するプラス端子を有する電池固定板１７と、底面に設けられ、電池２の前記マイナス面２ｂに接触し、電池２を開口側へ付勢するマイナス端子１６と、電池固定板１７の底面に対向する面に設けられ、第１位置に配置された電池２のプラス面２ａに当接し、さらに電池２が第２位置に移動すると、第２位置に配置された電池２の側面２ｃに当接し、電池２を第２位置に固定するストッパー２０とを備える。【選択図】図１
2011112461.tif 000002
【特許請求の範囲】
【請求項１】
プラス面およびマイナス面を有する電池を電源として使用する電池式時計であって、
底面および側面を有し、上部の開口を通じて、前記底面の第１位置および第２位置の間を移動可能に電池が収容される収容部と、
前記収容部の開口縁から開口中心に張り出し、前記第１位置および前記第２位置に配置された前記電池の前記プラス面に接触するプラス端子を有する電池固定板と、
前記底面に設けられ、前記電池の前記マイナス面に接触し、前記電池を開口側へ付勢するマイナス端子と、
前記電池固定板の前記底面に対向する面に設けられ、前記第１位置に配置された前記電池の前記プラス面に当接し、さらに前記電池が前記第２位置に移動すると、前記第２位置に配置された前記電池の側面に当接し、前記電池を前記第２位置に固定するストッパーと
を備えることを特徴とする電池式時計。
【請求項２】
前記ストッパーは、前記底面方向に張り出し、前記収容部の上下方向に移動可能に設けられ、前記第１位置に配置された電池の前記プラス面に当接し、前記収容部の上部方向に押し上げられる端部を有することを特徴とする請求項１に記載の電池式時計。
【請求項３】
前記収容部の前記側面に設けられ、前記第２位置に配置された前記電池に当接する複数の当接部をさらに備えることを特徴とする請求項１または２に記載の電池式時計。
【請求項４】
前記電池は充電可能な二次電池であって、
前記収容部の側面に隣接して配置された、前記二次電池を充電する電磁誘導用の二次コイルをさらに備えることを特徴とする電池式時計。
【発明の詳細な説明】
【技術分野】
【０００１】
本発明は、プラス面およびマイナス面を有する電池式時計に関するものである。
【背景技術】
【０００２】
従来、一般的な時計においては、電池交換のため、電池の着脱が容易にできるようになっている（例えば、特許文献１、２参照）。しかしながら、例えば充電式の二次電池のように特殊な電池を利用する時計においては、電池交換の際に誤って指定以外の電池（例えば、一次電池など）が組み込まれないように、一般ユーザが容易に電池交換できない構造にすることが求められている。
【０００３】
そこで、特殊電池を利用する場合には、例えば端子付きの電池を回路基板に直接ハンダ付けする構成や、電池をモジュール化して一般的な電池と形状を異ならせ、組み込めないようにする構成や、電池を組み込んだ後に、電池固定板などを組み込み、電池を簡単に取り外せないようにする構成などが採用されている。
【０００４】
図１１は、従来の電池の固定構造を示す図である。このように、ムーブメントホルダー４２にムーブメント４１が固定され、更にそのムーブメント４１に回路基板４３が固定されている。さらに、電池マイナス端子４５が回路基板４３とともにムーブメント４１に固定され、電池支え４４をムーブメントホルダー４２に電池固定板４６で固定する構造である。この構造において、コイン型の電池４７は電池支え４４と電池固定板４６で固定される。
【０００５】
電池固定板４６は電池４７のプラス面にコンタクトし、電池固定板４６の一部は回路基板４３に接続されている。電池マイナス端子４５は、電池４７のマイナス面にコンタクトし、電池４７を電池固定板４６の方向に押し上げるバネ構造で、その一部は回路基板４３に接続されている。
【０００６】
電池を組み込む際には、まず電池支え４４を組み込み、その後電池４７を組み込む。そして、電池４７を上から押えるように、電池固定板４６を組み込む。このため電池４７を交換するためには、電池固定板４６を外す必要がある。しかしながら、モジュールを時計ケースの中に組み込んだ状態で電池固定板４６を外すことは容易ではないことから、一般ユーザが電池交換をすることは難しい。
【先行技術文献】
【特許文献】
【０００７】
【特許文献１】特開２００３−２２７８８６号公報
【特許文献２】特開２００３−２２７８８７号公報
【発明の概要】
【発明が解決しようとする課題】
【０００８】
しかしながら、上述のように、端子付の電池を利用した場合や、電池をモジュール化した場合には電池サイズが大きく、モジュール全体が大きくなるという問題がある。さらに、コストが高くなるという問題も生じる。また、電池固定板などの構成が取り付けられており、簡単に取り外せない場合には、電池交換作業に手間がかかるという問題がある。
【０００９】
本発明は、上記に鑑みてなされたものであって、特定の作業者による電池交換が容易でありながら、一般ユーザが容易に電池交換できない電池式時計を提供することを目的とする。
【課題を解決するための手段】
【００１０】
上述した課題を解決し、目的を達成するために、本発明は、プラス面およびマイナス面を有する電池を電源として使用する電池式時計であって、底面および側面を有し、上部の開口を通じて、前記底面の第１位置および第２位置の間を移動可能に電池が収容される収容部と、前記収容部の開口縁から開口中心に張り出し、前記第１位置および前記第２位置に配置された前記電池の前記プラス面に接触するプラス端子を有する電池固定板と、前記底面に設けられ、前記電池の前記マイナス面に接触し、前記電池を開口側へ付勢するマイナス端子と、前記電池固定板の前記底面に対向する面に設けられ、前記第１位置に配置された前記電池の前記プラス面に当接し、さらに前記電池が前記第２位置に移動すると、前記第２位置に配置された前記電池の側面に当接し、前記電池を前記第２位置に固定するストッパーとを備えることを特徴とする。
【発明の効果】
【００１１】
本発明によれば、特定の作業者による電池交換が容易でありながら、一般ユーザが容易に電池交換できないという効果を奏する。
【図面の簡単な説明】
【００１２】
【図１】図１は、第１の実施の形態にかかる電池式腕時計１および電池式腕時計１に挿入される電池２の断面図である。
【図２】図２は、電池式腕時計１を、電池式腕時計１の裏面側から見た図である。
【図３】図３は、電池２が挿入される様子を示す図である。
【図４】図４は、図３に示すストッパー２０と電池２の拡大図である。
【図５】図５は、電池挿入直後の電池２と電池式腕時計１の位置関係を示す図である。
【図６】図６は、電池挿入直後の電池２と電池式腕時計１の位置関係を示す図である。
【図７】図７は、スライド後の電池２と電池式腕時計１の位置関係を示す図である。
【図８】図８は、スライド後の電池２と電池式腕時計１の位置関係を示す図である。
【図９】図９は、図７に示すストッパー２０と電池２の拡大図である。
【図１０】図１０は、第２の実施の形態にかかる電池式腕時計３の断面図である。
【図１１】図１１は、従来の電池の固定構造を示す図である。
【発明を実施するための形態】
【００１３】
以下に添付図面を参照して、この発明にかかる電池式時計の最良な実施の形態を詳細に説明する。
【００１４】
（第１の実施の形態）
図１は、第１の実施の形態にかかる電池式時計としての電池式腕時計１および電池式腕時計１に挿入される電池２の断面図である。図２は、電池式腕時計１を、電池式腕時計１の裏面側から見た図である。電池２は、例えばボタン型またはコイン型など略円盤状で厚みの少ない電池であり、プラス面２ａと、マイナス面２ｂとを有している。
【００１５】
電池式腕時計１においては、ムーブメントホルダー１０に、時計を運針するためのアナログムーブメント１１が配置され、アナログムーブメント１１の中央から、電池式腕時計１の表側に向けて運針軸１２が突出している。アナログムーブメント１１の裏側（電池式腕時計１の裏面側）の面１１ａには、回路基板１３が固定されている。
【００１６】
回路基板１３上にはさらに、電池２を支持する電池支持部１４がリング状に形成されている。電池支持部１４は、その側面１４ａと底面１４ｂにより収容部１５を形成している。電池２は、収容部１５に収容される。収容部１５の直径は、電池２の直径に比べてわずかに大きい。このため、電池２は、収容部１５内でわずかに移動可能である。
【００１７】
アナログムーブメント１１にはさらに電池マイナス端子１６の第１端部１６ａが固定されている。電池マイナス端子１６は、電池支持部１４の底面１４ｂから収容部１５内に延び、第１端部１６ａと反対側の第２端部１６ｂは、収容部１５の略中央に配置されている。電池マイナス端子１６は、電池２のマイナス面２ｂにコンタクトし、電池２を裏面方向に押し上げるバネ構造である。
【００１８】
電池支持部１４上にはさらに電池固定板１７が形成されている。電池固定板１７は、板状に形成されている。電池固定板１７には、電池２を斜めに挿入可能に、Ｄカット形状の開口１７ａが形成されている。開口１７ａの直径は、電池２の直径よりも大きい。
【００１９】
電池固定板１７は、電池プラス端子として機能し、開口１７ａ付近は収容部１５に収容された電池２のプラス面２ａにコンタクトする。電池固定板１７の一部の縁部１７ｂは、回路基板１３に接続されている。
【００２０】
さらに、電池固定板１７のうち電池式腕時計１の表面側の面である第１面１７ｃから側面１４ａに沿って複数の当接部１８が延び、収容部１５に収容された電池２の側面２ｃを固定する。複数の当接部１８は、電池固定板１７と一体に形成されている。当接部１８と側面１４ａの間にはバネ１９が設けられている。
【００２１】
電池固定板１７の第１面１７ｃにはさらにストッパー２０が設けられている。なお、ストッパー２０は、複数の当接部１８いずれとも異なる位置に配置されている。ストッパー２０は、その端部２０ａが底面１４ｂの中央の方向に張り出しており、収容部１５の上下方向に移動可能である。
【００２２】
本実施の形態においては、ストッパー２０に略対向する位置に１つの当接部１８が設けられ、さらに、この当接部１８の両端にそれぞれ１つずつ、計３つの当接部１８が設けられている。
【００２３】
本実施の形態の電池固定板１７と複数の当接部１８は一体に設けられている。具体的には、複数の当接部１８は、電池固定板１７の一部を底面１４ｂ側に曲げることにより形成されている。電池固定板１７および電池マイナス端子１６は、例えば０．１ｍｍ〜０．３ｍｍの厚みが好ましい。さらに、電池固定板１７および電池マイナス端子１６の材料は、例えばステンレス材などバネ特性を有する金属が好ましい。電池を固定するための強度と、電池を押し上げるための弾性を確保する観点である。また、電池固定板１７を曲げることにより当接部１８を形成する点でも適している。
【００２４】
図３は、電池２が挿入される様子を示す図である。図４は、図３に示すストッパー２０と電池２の拡大図である。電池挿入時には、電池固定板１７のＤカット形状の開口１７ａから電池２を斜めに挿入する。挿入された電池２により電池マイナス端子１６は、運針軸１２の方向に押し下げられる。そして、電池２は、図４に示すように、電池固定板１７に設けられたストッパー２０の下に挿入される。すなわち、ストッパー２０は、電池２のプラス面２ａに当接する。
【００２５】
図５および図６は、電池挿入直後の電池２と電池式腕時計１の位置関係を示す図である。図５は、電池式腕時計１の断面図、図６は、電池式腕時計１を裏面側から見た図である。このように、電池２は、ストッパー２０側の第１の位置に挿入され、当接部１８と電池２は当接していない。その後、電池２をストッパー２０の位置から直径方向、すなわち当接部１８の方向（図５、図６の矢印の方向）に収容部１５に沿って、収容部１５に平行な方向にスライドさせる。
【００２６】
図７および図８は、スライド後の電池２と電池式腕時計１の位置関係を示す図である。図７は、電池式腕時計１の断面図、図８は、電池式腕時計１を裏面側から見た図である。図９は、図７に示すストッパー２０と電池２の拡大図である。
【００２７】
このように、電池２が第１の位置から第２の位置まで直径方向にスライドされると、電池２は当接部１８に当接する。電池２の移動中、電池２のプラス面２ａに当接しているストッパー２０は、電池２のプラス面２ａ上を摺動する。そして、プラス面２ａ端部に到達すると、プラス面２ａにより裏面方向に付勢されていたストッパー２０は、プラス面２ａから離れて底面１４ｂ側に移動し、電池２の側面２ｃに当接する。これにより、電池２の側面２ｃは、ストッパー２０により当接部１８の方向に付勢される。したがって、電池２は、複数の当接部１８およびストッパー２０に当接した状態で、収容部１５に固定される。すなわち、ストッパー２０が電池２の側面２ｃに当接しているため、電池２はストッパー２０側へスライドできなくなる。
【００２８】
一方、電池２を取り外す場合には、ストッパー２０近傍の電池２を表面側、すなわち運針軸１２側に押下し、電池マイナス端子１６のバネ部を押し下げるとともに、電池２をストッパー２０の下に移動させる。すなわち、ストッパー２０を電池２のプラス面２ａに移動させる。これにより、ストッパー２０が外れ、電池２を収容部１５から取り外すことができる。
【００２９】
しかしながら、電池２が収容部１５に挿入された状態では、開口部１７ａから電池２のプラス面２ａが見えるのみで、ストッパー２０の存在は確認できない。したがって、一般ユーザは、電池２を取り外すためには電池２をスライドさせればよいということがわからず、電池２を取り外すことができない。
【００３０】
これにより、従来のように複雑な電池の固定構造を採用することなく、組立性に優れた構成を提供することができる。さらに、電池交換時には電池固定板１７などの部品を外す作業が不要となり、完成品の裏ブタを開けるのみで容易に電池交換を行うことが可能である。すなわち、作業性に優れている。その一方で、電池２をロックしているストッパー２０の構成が外部から見えないため、一般ユーザによる電池交換を防ぐことができる。したがって、一般ユーザが電池２を取り外し、誤って指定以外の電池を新たに組み込むことを防止することができる。
【００３１】
さらに、端子付ではなく、通常の円筒型のボタン電池やコイン型の電池を利用することができるので、収容部１５としての電池スペースを小さくすることができ、モジュールの小型化を図ることができ、コストを削減することができる。
【００３２】
（第２の実施の形態）
図１０は、第２の実施の形態にかかる電池式腕時計３の断面図である。電池式腕時計３は、電池支持部１４に替えて、電磁誘導用の二次コイル３０を備えている。すなわち、二次コイル３０により収容部１５が形成されている。二次コイル３０は、略円盤状の電池２の外周に沿ってリング状に配置されている。なお、第２の実施の形態にかかる電池式腕時計３のこれ以外の構成および動作は、第１の実施の形態にかかる電池式腕時計１の構成および動作と同様である。
【００３３】
このように、電池式腕時計３においては、二次コイル３０は、電池２の周囲に沿ってリング状に配置されているので、スペースを無駄にすることなく有効に活用することができる。これにより、モジュールを大型化することなく、二次コイル３０を配置することができる。すなわち、電磁誘導充電方式の構成を容易に実現することができる。
【産業上の利用可能性】
【００３４】
以上のように、本発明にかかる電池式時計は、プラス面およびマイナス面を有する電池を電源として使用する電池式時計に有用である。
【符号の説明】
【００３５】
１，３  電池式腕時計
２  電池
１０  ムーブメントホルダー
１１  アナログムーブメント
１３  回路基板
１４  電池支持部
１５  収容部
１６  マイナス端子
１７  電池固定板
１８  当接部
２０  ストッパー
３０  二次コイル
【図１】
2011112461.tif 000003
【図２】
2011112461.tif 000004
【図３】
2011112461.tif 000005
【図４】
2011112461.tif 000006
【図５】
2011112461.tif 000007
【図６】
2011112461.tif 000008
【図７】
2011112461.tif 000009
【図８】
2011112461.tif 000010
【図９】
2011112461.tif 000011
【図１０】
2011112461.tif 000012
【図１１】
2011112461.tif 000013